(57)【特許請求の範囲】
【請求項１】
加熱された加熱棒が接続される接続端と前記接続端から離間した位置において前記接続端よりも細く形成された細狭部とを有するとともに作業者によって握持される握持部を有する加熱工具を支持する支持台であって、
傾斜した支持筒を備え、
前記支持筒は、第１端と、前記第１端に長手方向に整列する第２端と、前記第１端と前記第２端との間で前記握持部を少なくとも部分的に取り囲む内面と、前記握持部が前記内面によって少なくとも部分的に取り囲まれたときに前記接続端に当接するように前記第１端と前記第２端との間で前記内面から突出する突出部と、を含み、
前記突出部が前記接続端に当接する向きとは反対方向の向きにおいて前記握持部が前記支持筒に配置されたときに、前記突出部は前記細狭部に当接する
支持台。
【請求項２】
前記支持筒は、前記長手方向に延びる第１縁と、前記第１縁から離間した位置で前記長手方向に延びる第２縁と、を含み、
前記握持部は、前記第１縁と前記第２縁との間に形成された挿入スロットから挿入可能である
請求項１に記載の支持台。
【請求項３】
前記挿入スロットは、上向きに開口している
請求項２に記載の支持台。
【請求項４】
前記握持部は、円柱状であり、
前記内面は、前記長手方向に直交する断面において、前記第１縁と前記第２縁との間で延びる弧状の輪郭を描く
請求項２又は３に記載の支持台。
【請求項５】
前記突出部は、前記弧状の輪郭に沿って延びる突条を含む
請求項４に記載の支持台。
【請求項６】
前記突出部が前記接続端に当接するとき、前記加熱棒は前記接続端から斜め下方に延び、
前記突出部が前記細狭部に当接するとき、前記加熱棒は前記接続端から斜め上方に延びる
請求項１乃至５のいずれか１項に記載の支持台。
【請求項７】
前記支持筒の下方に配置される台座と、
前記支持筒から下方に延び、前記台座に接続される脚部と、を更に備える
請求項１乃至６のいずれか１項に記載の支持台。
【請求項８】
前記脚部から延びるロッドと、
前記ロッドに接続されたカバーと、を更に備え、
前記加熱棒は、前記接続端に接続される基端部と、前記基端部とは反対側の先端部と、を含み、
前記先端部には、加熱された空気が吹き出す吹出口が形成され、
前記握持部が前記支持筒によって支持されているとき、前記加熱棒は前記ロッドに沿って延び、
前記カバーは、前記先端部を部分的に取り囲む
請求項７に記載の支持台。
【請求項９】
前記台座は、前記ロッドの延出方向に延びる調整スロットが形成されたスロープ面を含み、
前記脚部は、前記調整スロットに沿って位置変更される
請求項８に記載の支持台。
【請求項１０】
加熱された加熱棒が接続される接続端と前記接続端から離間した位置において前記接続端よりも細く形成された細狭部とを有するとともに作業者によって握持される握持部を有する加熱工具と、
傾斜した支持筒を用いて前記加熱工具を支持する支持台と、を備え、
前記支持筒は、第１端と、前記第１端に長手方向に整列する第２端と、前記第１端と前記第２端との間で前記握持部を少なくとも部分的に取り囲む内面と、前記握持部が前記内面によって少なくとも部分的に取り囲まれたときに前記接続端に当接するように前記第１端と前記第２端との間で前記内面から突出する突出部と、を含み、
前記突出部が前記接続端に当接する向きとは反対方向の向きにおいて前記握持部が前記支持筒に配置されたときに、前記突出部は前記細狭部に当接する
加熱工具セット。
【発明の詳細な説明】
【技術分野】
【０００１】
本発明は、加熱工具を保持する技術に関する。
【背景技術】
【０００２】
作業者は、半田ごて、半田除去具やホットエア吹出器といった加熱工具を支持台から持ち上げ、加熱作業を行う。作業者が、その後、加熱作業を終えると、加熱工具は、支持台上に置かれる。
【０００３】
作業台上での加熱工具の好ましい向きや好ましい位置は、作業者に依存する。例えば、ある作業者は、作業台の上面に向かって斜め下方に加熱工具の握持部が向くことを好むこともある。他の作業者は、作業台の上面から斜め上方に握持部が向くことを好むこともある。
【０００４】
特許文献１は、半田ごてを支持する支持台を開示する。特許文献１の支持台は、アーチ状又はリング状の複数のワイヤ環を含む。作業者は、複数のワイヤ環のうち２つを選択し、支持台上での半田ごての支持姿勢を決定することができる。
【先行技術文献】
【特許文献】
【０００５】
【特許文献１】米国特許４７６２９７９号明細書
【発明の概要】
【発明が解決しようとする課題】
【０００６】
特許文献１の開示技術によれば、複数のワイヤ環は、密集し、支持台に複雑な構造を与える。
【０００７】
本発明は、簡素な構造を有する支持台及び加工工具セットを提供することを目的とする。
【課題を解決するための手段】
【０００８】
本発明の一局面に係る支持台は、作業者によって握持される握持部を有する加熱工具を支持する。支持台は、傾斜した支持筒を備える。前記支持筒は、第１端と、第１端に長手方向に整列する第２端と、前記第１端と前記第２端との間で前記握持部を少なくとも部分的に取り囲む内面と、前記第１端と前記第２端との間で前記内面から突出する突出部と、を含む。
【０００９】
上記構成によれば、突出部は、握持部を少なくとも部分的に取り囲む内面から突出するので、傾斜した支持筒中の握持部の向きによらず、突出部は、握持部に引っ掛かる。したがって、設計者は、支持台に容易且つ安定的に載置することができる簡素な構造を支持台に与えることができる。
【００１０】
上記構成において、前記支持筒は、前記支持筒の長手方向に延びる第１縁と、前記第１縁から離間した位置で前記長手方向に延びる第２縁と、を含んでもよい。前記握持部は、前記第１縁と前記第２縁との間に形成された挿入スロットから挿入可能であってもよい。
【００１１】
上記構成によれば、握持部は、第１縁と第２縁との間に形成された挿入スロットから挿入可能であるので、作業者は、加熱工具を、支持台に容易に載置することができる。
【００１２】
上記構成において、前記挿入スロットは、上向きに開口していてもよい。
【００１３】
上記構成によれば、挿入スロットは、上向きに開口しているので、作業者は、加熱工具を、支持台に容易且つ安定的に載置することができる。
【００１４】
上記構成において、前記握持部は、円柱状であってもよい。前記内面は、前記長手方向に直交する断面において、前記第１縁と前記第２縁との間で延びる弧状の輪郭を描いてもよい。
【００１５】
上記構成によれば、内面は、長手方向に直交する断面において、第１縁と第２縁との間で延びる弧状の輪郭を描くので、支持筒は、円柱状の握持部を安定的に支持することができる。
【００１６】
上記構成において、前記突出部は、前記弧状の輪郭に沿って延びる突条を含んでもよい。
【００１７】
上記構成によれば、突条は、弧状の輪郭に沿って延びるので、突条は、円柱状の握持部に全体的に引っ掛かる。
【００１８】
上記構成において、前記握持部は、加熱された加熱棒が接続される接続端を含んでもよい。前記加熱棒が前記支持筒に嵌め込まれた前記握持部から第１方向に延びるとき、前記突条は、前記接続端に当接してもよい。
【００１９】
上記構成によれば、加熱棒が支持筒に嵌め込まれた握持部から第１方向に延びるとき、突条は、接続端に当接するので、支持筒は、握持部を適切に支持することができる。
【００２０】
上記構成において、前記握持部は、前記接続端から離間した位置において、前記接続端よりも細く形成された細狭部を含んでもよい。前記加熱棒が前記支持筒に嵌め込まれた前記握持部から前記第１方向とは反対の第２方向に延びるとき、前記突条は、前記細狭部に当接してもよい。
【００２１】
上記構成によれば、加熱棒が支持筒に嵌め込まれた握持部から第１方向とは反対の第２方向に延びるとき、突条は、細狭部に当接するので、支持筒中の握持部の向きによらず、突条は、握持部に引っ掛かる。したがって、作業者は、加熱工具を、支持台に容易且つ安定的に載置することができる。
【００２２】
上記構成において、前記握持部は、加熱された加熱棒が接続される接続端と、前記接続端から離間した位置において、前記接続端よりも細く形成された細狭部と、を含んでもよい。前記突条が、前記接続端に当接するとき、前記加熱棒は、前記接続端から斜め下方に延びてもよい。前記突条が細狭部に当接するとき、前記加熱棒は、前記接続端から斜め上方に延びてもよい。
【００２３】
上記構成によれば、加熱棒が支持筒に嵌め込まれた握持部から斜め下方に延びるとき、突条は、重力作用によって、接続端に強く当接される。加熱棒が支持筒に嵌め込まれた握持部から斜め上方に延びるとき、突条は、重力作用によって、細狭部に強く当接される。支持筒中の握持部の向きによらず、突条は、握持部に強く引っ掛かるので、作業者は、加熱工具を、支持台に容易且つ安定的に載置することができる。
【００２４】
上記構成において、支持台は、前記支持筒の下方に配置される台座と、前記支持筒から下方に延び、前記台座に接続される脚部と、を更に備えてもよい。
【００２５】
上記構成によれば、支持台は、支持筒の下方に配置される台座と、支持筒から下方に延び、台座に接続される脚部と、を備えるので、加熱工具の配置に十分な広さの空間が、支持筒の下方に形成される。
【００２６】
上記構成において、支持台は、前記脚部から延びるロッドと、前記ロッドに接続されたカバーと、を更に備えてもよい。前記加熱棒は、前記接続端に接続される基端部と、前記基端部とは反対側の先端部と、を含んでもよい。前記先端部には、加熱された空気が吹き出す吹出口が形成されてもよい。前記握持部が、前記支持筒によって支持されているとき、前記加熱棒は、前記ロッドに沿って延びてもよい。前記カバーは、前記先端部を部分的に取り囲んでもよい。
【００２７】
上記構成によれば、カバーは、先端部を部分的に取り囲むので、不適切な方向への加熱空気の放出は生じない。
【００２８】
上記構成において、前記台座は、前記ロッドの延出方向に延びる調整スロットが形成されたスロープ面を含んでもよい。前記脚部は、前記調整スロットに沿って位置変更されてもよい。
【００２９】
上記構成によれば、脚部は、調整スロットに沿って位置変更されるので、支持筒の高さ位置は適切に調整される。
【００３０】
本発明の他の局面に係る加熱工具セットは、作業者によって握持される握持部を有する加熱工具と、前記握持部を少なくとも部分的に取り囲む内面と、前記内面から突出する突出部と、を含む支持筒を有する支持台と、を備える。
【００３１】
上記構成によれば、突出部は、握持部を少なくとも部分的に取り囲む内面から突出するので、支持筒中の握持部の向きによらず、突出部は、握持部に引っ掛かる。したがって、作業者は、加熱工具を、支持台に容易且つ安定的に載置することができる。
【発明の効果】
【００３２】
上述の技術は、作業者が加熱工具を容易に載置することを可能にする。
【図面の簡単な説明】
【００３３】
【図１】第１実施形態の支持台の支持筒の概略的な平面図である。
【図２】図１に示される支持筒の概略的な平面図である。
【図３】第２実施形態の支持台の支持筒の概略的な平面図である。
【図４】第２実施形態の支持台の他のもう１つの支持筒の概略的な平面図である。
【図５】第２実施形態の支持台の他のもう１つの支持筒の概略的な平面図である。
【図６】第３実施形態の支持台の概略的な斜視図である。
【図７】第４実施形態の支持台の概略的な斜視図である。
【図８】図７に示される支持台に取付可能なホットエア吹出器の概略的な平面図である。
【図９】加熱工具セットの概略的な斜視図である。
【図１０】第５実施形態の加熱工具セットの概略的な斜視図である。
【図１１】図１０に示される加熱工具セットの他のもう１つの斜視図である。
【発明を実施するための形態】
【００３４】
＜第１実施形態＞
本発明者等は、ホットエアを吹き出す吹出器、半田ごてや半田除去具といった加熱工具を支持する簡単な構造を開発した。第１実施形態において、加熱工具を支持するための例示的な構造が説明される。
【００３５】
図１は、第１実施形態の支持台（図示せず）の支持筒２１０の概略的な平面図である。図１を参照して、支持筒２１０が説明される。
【００３６】
支持筒２１０は、全体的に棒状の加熱工具ＨＴＬを支持する支持台の一部として形成される。支持筒２１０は、作業者が作業を行う作業台（図示せず）の上面よりも上方に配置される。支持台は、支持筒２１０を傾斜して支持する様々な構造を有してもよい。本実施形態の原理は、支持筒２１０を支持するための特定の構造に限定されない。
【００３７】
加熱工具ＨＴＬは、ホットエアを吹き出す吹出器、半田ごて、半田除去具や熱エネルギを利用した作業に用いられる他の工具であってもよい。本実施形態の原理は、加熱工具ＨＴＬとして用いられる特定の工具に限定されない。本実施形態の原理は、全体的に棒状の加熱工具に好適に適用可能である。
【００３８】
加熱工具ＨＴＬは、握持部ＨＤＬと、高温の加熱棒ＨＲＤと、を含む。作業者は、握持部ＨＤＬを握持し、様々な加熱作業を行うことができる。加熱棒ＨＲＤは、ヒータや他の発熱素子を内蔵してもよい。加熱棒ＨＲＤは、発熱素子によって加熱される。作業者は、加熱棒ＨＲＤを対象物（図示せず）に近づけ、対象物に対して加熱処理（たとえば、半田の溶融）を行うことができる。設計者は、加熱工具ＨＴＬの用途に応じて、様々な加熱棒ＨＲＤを設計することができる。加熱工具ＨＴＬがホットエアを吹き出す吹出器であるならば、加熱棒は、ホットエアの流動経路を形成する吹出筒であってもよい。加熱工具ＨＴＬが半田ごてであるならば、加熱棒は、こて先棒であってもよい。
【００３９】
握持部ＨＤＬは、支持筒２１０に挿入される。支持筒２１０は、握持部ＨＤＬを部分的に取り囲む。
【００４０】
支持筒２１０への握持部ＨＤＬの挿入方向は、支持筒２１０の長手方向であってもよい。支持筒２１０が、握持部ＨＤＬを部分的に取り囲むならば、支持筒２１０への握持部ＨＤＬの挿入方向は、支持筒２１０の半径方向であってもよい。本実施形態の原理は、支持筒２１０への握持部ＨＤＬの特定の挿入方向に限定されない。
【００４１】
支持筒２１０は、第１端２１８と、第２端２１９と、内面２１１と、突条２１２と、第１縁２２１と、第２縁２２２と、を含む。第２端２１９は、第１端２１８に対して、支持筒２１０の長手方向に整列する。内面２１１は、第１端２１８と第２端２１９との間で形成される。内面２１１は、握持部ＨＤＬを少なくとも部分的に取り囲む。内面２１１は、握持部ＨＤＬが挿入可能な内部空間を形成する。たとえば、内面２１１が形成する内部空間は、握持部ＨＤＬと相補的であってもよい。握持部ＨＤＬが、略円柱形状であるならば、内面２１１は、略円弧形状の断面を有する内部空間を形成してもよい。握持部ＨＤＬが、略四角柱形状であるならば、内面２１１は、略矩形の断面を有する内部空間を形成してもよい。本実施形態の原理は、内面２１１によって定められる内部空間の特定の断面形状に限定されない。
【００４２】
第１縁２２１及び第２縁２２２は、第１端２１８と第２端２１９との間で支持筒２１１の長手方向に延びる。第２縁２２２は、第１縁２２１から離間している。握持部ＨＤＬは、第１縁２２１と第２縁２２２との間の空隙を通じて支持筒２１０に収容される。
【００４３】
突条２１２は、第１端２１８と第２端２１９との間で、内面２１１から内方に突出する。本実施形態において、突出部は、突条２１２によって例示される。
【００４４】
握持部ＨＤＬは、第１部分ＨＤ１と、第２部分ＨＤ２と、を含む。第１部分ＨＤ１は、加熱棒ＨＲＤと第２部分ＨＤ２との間に位置する。第１部分ＨＤ１は、加熱棒ＨＲＤが接続される接続端面ＣＥＳを含む。第２部分ＨＤ２は、接続端面ＣＥＳより細い。第１部分ＨＤ１は、接続端面ＣＥＳから第２部分ＨＤ２に向けて狭まる錘面ＴＰＳを含む。加熱棒ＨＲＤが、支持筒２１０内に配置された握持部ＨＤＬの接続端面ＣＥＳから斜め上方に延びるとき、突条２１２は、錘面ＴＰＳに当接する。本実施形態において、接続端は、接続端面ＣＥＳによって例示される。細狭部は、錘面ＴＰＳによって例示される。第２方向は、図１に示される加熱棒ＨＲＤの延設方向によって例示される。
【００４５】
図２は、支持筒２１０の概略的な平面図である。図１及び図２を参照して、支持筒２１０が説明される。
【００４６】
図２に示される加熱工具ＨＴＬは、図１に示される加熱工具ＨＴＬの挿入方向とは反対の方向に、支持筒２１０に挿入されている。したがって、加熱棒ＨＲＤは、支持筒２１０内に配置された握持部ＨＤＬの接続端面ＣＥＳから斜め下方に延びる。このとき、接続端面ＣＥＳは、突条２１２に当接する。本実施形態において、第１方向は、図２に示される加熱棒ＨＲＤの延設方向によって例示される。
【００４７】
＜第２実施形態＞
第１実施形態に関連して説明された技術原理によれば、加熱工具は、支持筒の内壁から突出する線状の突条に引っ掛かる。突条に代えて、他の突出部が加熱工具の保持に利用されてもよい。第２実施形態において、様々な突出部が説明される。
【００４８】
図３は、第２実施形態の支持台（図示せず）の支持筒２１０Ａの概略的な平面図である。図１乃至図３を参照して、支持筒２１０Ａが説明される。同一の符号は、第１実施形態と同一の要素に付されている。第１実施形態の説明は、同一の符号が付された要素に援用される。
【００４９】
第１実施形態と同様に、支持筒２１０Ａは、内面２１１と、第１端２１８と、第２端２１９と、第１縁２２１と、第２縁２２２と、を含む。第１実施形態の説明は、これらの要素に援用される。
【００５０】
支持筒２１０Ａは、内面２１１から突出する複数の突出柱２１２Ａを更に含む。複数の突出柱２１２Ａは、内面２１１上で環状に並ぶ。複数の突出柱２１２Ａそれぞれは、短い角柱状である。図１に示される加熱工具ＨＴＬの錘面ＴＰＳは、複数の突出柱２１２Ａそれぞれに当接する。図２に示される加熱工具ＨＴＬの接続端面ＣＥＳは、複数の突出柱２１２Ａそれぞれに当接する。したがって、支持筒２１０Ａは、第１実施形態の保持原理にしたがって、加熱工具ＨＴＬを適切に保持することができる。本実施形態において、突出部は、複数の突出柱２１２Ａによって例示される。
【００５１】
図４は、第２実施形態の支持台（図示せず）の他のもう１つの支持筒２１０Ｂの概略的な平面図である。図１、図２及び図４を参照して、支持筒２１０Ｂが説明される。同一の符号は、第１実施形態と同一の要素に付されている。第１実施形態の説明は、同一の符号が付された要素に援用される。
【００５２】
第１実施形態と同様に、支持筒２１０Ｂは、内面２１１と、第１端２１８と、第２端２１９と、第１縁２２１と、第２縁２２２と、を含む。第１実施形態の説明は、これらの要素に援用される。
【００５３】
支持筒２１０Ｂは、内面２１１から突出する複数の突出瘤２１２Ｂを更に含む。複数の突出瘤２１２Ｂは、内面２１１上で環状に並ぶ。複数の突出瘤２１２Ｂそれぞれは、半球である。図１に示される加熱工具ＨＴＬの錘面ＴＰＳは、複数の突出瘤２１２Ｂそれぞれに当接する。図２に示される加熱工具ＨＴＬの接続端面ＣＥＳは、複数の突出瘤２１２Ｂそれぞれに当接する。したがって、支持筒２１０Ｂは、第１実施形態の保持原理にしたがって、加熱工具ＨＴＬを適切に保持することができる。本実施形態において、突出部は、複数の突出瘤２１２Ｂによって例示される。
【００５４】
図５は、第２実施形態の支持台（図示せず）の他のもう１つの支持筒２１０Ｃの概略的な平面図である。図１、図２及び図５を参照して、支持筒２１０Ｃが説明される。
【００５５】
第１実施形態と同様に、支持筒２１０Ｃは、第１端２１８と、第２端２１９と、第１縁２２１と、第２縁２２２と、を含む。第１実施形態の説明は、これらの要素に援用される。
【００５６】
支持筒２１０Ｃは、第１内面２１３と、第２内面２１４と、段差面２１５と、を含む。第１内面２１３は、略円柱状の内部空間を形成する。第２内面２１４は、第１内面２１３によって形成される内部空間よりも細い略円柱状の内部空間を形成する。第２内面２１４によって形成される内部空間は、第１内面２１３によって形成される内部空間と略同軸であってもよい。段差面２１５は、第１内面２１３と第２内面２１４との間の境界に位置する。段差面２１５は、第１内面２１３から内方へ突出する。段差面２１５は、略環状である。
【００５７】
図１に示される加熱工具ＨＴＬの錘面ＴＰＳは、段差面２１５に当接する。図２に示される加熱工具ＨＴＬの接続端面ＣＥＳは、段差面２１５に当接する。したがって、支持筒２１０Ｃは、第１実施形態の保持原理にしたがって、加熱工具ＨＴＬを適切に保持することができる。本実施形態において、突出部は、段差面２１５によって例示される。内面は、第１内面２１３によって例示される。
【００５８】
＜第３実施形態＞
設計者は、上述の実施形態の原理に基づいて、様々な支持台を設計することができる。第３実施形態において、例示的な支持台が説明される。
【００５９】
図６は、第３実施形態の支持台１００の概略的な斜視図である。図６を参照して、支持台１００が説明される。
【００６０】
支持台１００は、支持筒２１０Ｄと、台座部３００と、脚部４００と、を備える。支持筒２１０Ｄは、上述の実施形態の原理にしたがって、設計される。台座部３００は、支持筒２１０Ｄの下方に配置される。脚部４００は、支持筒２１０Ｄから下方に延び、台座部３００に接続される。したがって、支持筒２１０Ｄは、台座部３００が載置される作業台（図示せず）の上面よりも上方に位置することができる。この結果、加熱工具（図示せず）は、作業台と干渉することなく、支持台１００によって適切に支持される。本実施形態において、台座は、台座部３００によって例示される。
【００６１】
支持筒２１０Ｄは、内面２１１Ｄと、突条２１２Ｄと、を含む。突条２１２Ｄは、内面２１１Ｄを、第１領域２１６と第２領域２１７とに分ける。突条２１２Ｄは、第１領域２１６と第２領域２１７との間で、内面２１１Ｄから突出する。内面２１１Ｄは、図１を参照して説明された内面２１１に対応する。内面２１１に関する説明は、内面２１１Ｄに援用される。突条２１２Ｄは、図１を参照して説明された突条２１２に対応する。突条２１２に関する説明は、突条２１２Ｄに援用される。
【００６２】
第１領域２１６は、加熱工具の略円柱状の握持部（図示せず）の略半周面を取り囲むように形成される。第２領域２１７は、突条２１２Ｄから離れるにつれて握持部を取り囲む面積が低減するように形成される。第１領域２１６及び第２領域２１７は、支持筒２１０Ｄの長手方向に直交する断面において、弧状の輪郭を描く。突条２１２Ｄは、第１領域２１６と第２領域２１７との間の境界において、支持筒２１０Ｄの長手方向に直交する断面において描かれる内面２１１Ｄの輪郭に沿って形成される。第１領域２１６及び第２領域２１７の曲率中心は、１つの直線状に略整列する。第２領域２１７の曲率中心の高さ位置は、第１領域２１６の曲率中心の高さ位置よりも低い。
【００６３】
支持筒２１０Ｄは、第１縁２２１Ｄと、第２縁２２２Ｄと、Ｃ型縁２２３と、端縁２２４と、を更に含む。第１縁２２１Ｄは、支持筒２１０Ｄの長手方向に延びる。第２縁２２２Ｄは、第１縁２２１Ｄから離れた位置において、支持筒２１０Ｄの長手方向に延びる。したがって、第２縁２２２Ｄは、第１縁２２１Ｄに対して略平行である。
【００６４】
第２縁２２２Ｄは、第１縁２２１Ｄから離れているので、第１縁２２１Ｄと第２縁２２２Ｄとの間には、上向きに開口した挿入スロット２２０が形成される。したがって、作業者は、加熱工具を挿入スロット２２０に上方から挿入し、支持台１００に加熱工具を支持させることができる。
【００６５】
第１縁２２１Ｄ及び第２縁２２２Ｄは、端縁２２４から突条２１２Ｄの端部まで延びる。Ｃ型縁２２３は、突条２１２Ｄの端部から略Ｃ型の曲線を描くように延び、第１縁２２１Ｄ及び第２縁２２２Ｄの終端（すなわち、端縁２２４とは反対側の端部）に連続する。端縁２２４は、Ｃ型縁２２３とは反対側に位置する。端縁２２４は、第１縁２２１Ｄ及び第２縁２２２Ｄから屈曲して延び、第１領域２１６の境界を形成する。第１領域２１６は、第１縁２２１Ｄ、第２縁２２２Ｄ、端縁２２４及び突条２１２Ｄによって取り囲まれる。第２領域２１７は、突条２１２Ｄ及びＣ型縁２２３によって取り囲まれる。
【００６６】
支持筒２１０Ｄは、補助板片２３０を更に含む。補助板片２３０は、端縁２２４の中間点から、Ｃ型縁２２３とは反対方向に延びる。したがって、補助板片２３０は、支持筒２１０Ｄ内に配置された加熱工具の握持部の下方に位置し、第１領域２１６と協働して、握持部を支持することができる。
【００６７】
＜第４実施形態＞
ホットエア吹出器は、半田の融点を超える温度の空気を吹き出す。したがって、支持台は、ホットエア吹出器を安定的に支持する機能だけでなく、高温の空気から周囲の物を保護する機能を有することが好ましい。第４実施形態において、ホットエア吹出器を支持する例示的な支持台が説明される。
【００６８】
図７は、第４実施形態の支持台１００Ｅの概略的な斜視図である。図７を参照して、支持台１００Ｅが説明される。同一の符号は、第３実施形態と同一の要素に付されている。第３実施形態の説明は、同一の符号が付された要素に援用される。
【００６９】
第３実施形態と同様に、支持台１００Ｅは、支持筒２１０Ｄと、台座部３００と、を備える。第３実施形態の説明は、これらの要素に援用される。
【００７０】
支持台１００Ｅは、脚部４００Ｅと、カバーユニット５００と、を更に備える。脚部４００Ｅは、支持脚４１０と、取付板４２０と、を含む。取付板４２０は、支持筒２１０Ｄの外面に接続される。支持脚４１０は、取付板４２０の下面から下方に延び、台座部３００に接続される。したがって、支持筒２１０Ｄは、台座部３００が載置される作業台（図示せず）の上面よりも上方に位置することができる。この結果、ホットエア吹出器（図示せず）は、作業台と干渉することなく、支持台１００Ｅによって適切に支持される。
【００７１】
取付板４２０には、２つの貫通孔（図示せず）が形成される。これらの貫通孔は、支持筒２１０Ｄの中心線（すなわち、第１領域２１６及び第２領域２１７の曲率中心を結ぶ直線）と略平行に延びる。
【００７２】
カバーユニット５００は、２つの支持ロッド５１１，５１２と、カバー片５２０と、を含む。支持ロッド５１１，５１２のうち一方は、取付板４２０の２つの貫通孔のうち一方に挿入される。支持ロッド５１１，５１２のうち他方は、取付板４２０の２つの貫通孔のうち他方に挿入される。本実施形態において、ロッドは、支持ロッド５１１，５１２のうち一方によって例示される。
【００７３】
カバー片５２０は、２つのサイドカバー５２１，５２２と、メインカバー５２３と、を含む。薄い金属板からなるサイドカバー５２１，５２２は略垂直に立設される。サイドカバー５２２は、サイドカバー５２１に対して略平行に配置される。メインカバー５２３は、サイドカバー５２１，５２２の間に配置され、サイドカバー５２１，５２２の輪郭縁に沿って略Ｊ字状に湾曲する。支持ロッド５１１，５１２は、メインカバー５２３に接続される。本実施形態において、カバーは、カバー片５２０によって例示される。
【００７４】
図８は、ホットエア吹出器６００の概略的な平面図である。図７及び図８を参照して、ホットエア吹出器６００が説明される。
【００７５】
ホットエア吹出器６００は、握持部６１０と、吹出筒６２０と、ケーブル６３０と、を備える。握持部６１０は、全体的に円筒形状である。握持部６１０には、高温の空気を吹き出すための様々な部品が収容される。作業者は、握持部６１０を握持し、ホットエア吹出器６００を操作することができる。
【００７６】
握持部６１０は、第１直筒部６１１と、第１テーパ筒部６１２と、第２直筒部６１３と、第２テーパ筒部６１４と、を含む。第１直筒部６１１及び第２直筒部６１３は、略円筒形状である。第１テーパ筒部６１２は、第１直筒部６１１から第２直筒部６１３に向けて狭まる。第２テーパ筒部６１４は、第２直筒部６１３からケーブル６３０に向けて狭まる。第１直筒部６１１と第１テーパ筒部６１２との間の境界に沿って、溝部６１５が形成される。第１直筒部６１１が第１領域２１６（図７を参照）上に載置され、且つ、第１テーパ筒部６１２が第２領域２１７（図７を参照）上に載置されると、突条２１２Ｄ（図７を参照）は、溝部６１５に嵌り込む。代替的に、作業者は、第１テーパ筒部６１２を突条２１２Ｄに当接させてもよい。本実施形態において、細狭部は、第１テーパ筒部６１２若しくは溝部６１５によって例示される。
【００７７】
第１直筒部６１１は、吹出筒６２０が接続される接続端面６１６を含む。吹出筒６２０は、全体的に略円筒形状である。吹出筒６２０は、第１直筒部６１１よりも細い。吹出筒６２０は、第１直筒部６１１と略同軸である。空気を加熱するヒータは、吹出筒６２０内に配置される。
【００７８】
吹出筒６２０は、基端部６２１と、基端部６２１とは反対側の先端部６２２と、を含む。基端部６２１は、接続端面６１６に接続される。先端部６２２には、吹出口６２３が形成される。空気は、基端部６２１から先端部６２２へ流れる。この間、空気は、吹出筒６２０内に配置されたヒータによって加熱される。加熱された空気は、その後、吹出口６２３から吹き出される。本実施形態において、加熱棒は、吹出筒６２０によって例示される。
【００７９】
図９は、支持台１００Ｅとホットエア吹出器６００とからなる加熱工具セット７００の概略的な斜視図である。図７乃至図９を参照して、加熱工具セット７００が説明される。
【００８０】
ホットエア吹出器６００は、ノズル片６４０を更に備える。ノズル片６４０は、吹出筒６２０の先端部６２２に取り付けられる。ノズル片６４０は、電子回路上の素子（図示せず）を取り囲むように形成される。したがって、ホットエア吹出器６００は、電子回路上の素子を固定する半田を効率的に溶融することができる。
【００８１】
図９に示されるホットエア吹出器６００は、突条２１２Ｄ（図７を参照）が、溝部６１５に嵌り込むように、支持台１００Ｅ上に載置されている。このとき、吹出筒６２０は、支持ロッド５１１，５１２に沿って、斜め上方に延びる。カバー片５２０は、ノズル片６４０及び吹出筒６２０の先端部６２２を部分的に取り囲む。カバー片５２０は、上方に開口しているので、ノズル片６４０から吹き出されたホットエアは、メインカバー５２３に衝突し、その後、上方へ流れる。したがって、ホットエア吹出器６００の周囲の物は、高温に曝されにくくなる。
【００８２】
＜第５実施形態＞
加熱工具が、作業台と干渉するならば、支持台は、加熱工具を適切に支持することができない。したがって、設計者は、加熱工具の支持位置を調整するための機構を支持台に与えてもよい。第５実施形態において、加熱工具の支持位置を調整するための機構を有する例示的な支持台が説明される。
【００８３】
図１０は、第５実施形態の加熱工具セット７００Ｆの概略的な斜視図である。図１０を参照して、加熱工具セット７００Ｆが説明される。同一の符号は、第４実施形態と同一の要素に付されている。第４実施形態の説明は、同一の符号が付された要素に援用される。
【００８４】
第４実施形態と同様に、加熱工具セット７００Ｆは、ホットエア吹出器６００を備える。第４実施形態の説明は、ホットエア吹出器６００に援用される。
【００８５】
加熱工具セット７００Ｆは、支持台１００Ｆを更に備える。第４実施形態と同様に、支持台１００Ｆは、支持筒２１０Ｄと、脚部４００Ｅと、カバーユニット５００と、を備える。第４実施形態の説明は、これらの要素に援用される。
【００８６】
支持台１００Ｆは、台座部３００Ｆを更に備える。台座部３００Ｆは、支持筒２１０Ｄに対向するスロープ面３１０を含む。スロープ面３１０は、支持ロッド５１１，５１２及び支持筒２１０Ｄの中心線（すなわち、第１領域２１６及び第２領域２１７の曲率中心を結ぶ直線）と略平行である。
【００８７】
スロープ面３１０には、溝部３１１及びスロット３１２が形成される。溝部３１１及びスロット３１２は、支持ロッド５１１，５１２及び支持筒２１０Ｄの中心線に略平行に延びる。スロット３１２は、溝部３１１内に形成される。本実施形態において、調整スロットは、スロット３１２によって例示される。
【００８８】
脚部４００Ｅの下端は、溝部３１１に挿入される。ネジといった適切な固定具（図示せず）が、スロット３１２に挿入され、脚部４００Ｅに接続される。したがって、脚部４００Ｅ及び支持筒２１０Ｄは、台座部３００Ｆ上に適切に固定される。図１０に示される脚部４００Ｅの下端は、溝部３１１の下端に位置する。
【００８９】
図１１は、加熱工具セット７００Ｆの他のもう１つの斜視図である。図１０及び図１１を参照して、加熱工具セット７００Ｆが更に説明される。
【００９０】
作業者は、図１０に示される向きとは反対向きに、カバーユニット５００を台座部３００Ｆに取り付けることができる。このとき、作業者は、脚部４００Ｅの下端の位置を溝部３１１及びスロット３１２に沿って変位させ、支持筒２１０Ｄの高さ位置を調整することができる。
【００９１】
図１１に示される脚部４００Ｅの下端は、溝部３１１の上端に位置する。この結果、カバーユニット５００は、台座部３００Ｆが置かれた作業台に干渉しない。
【００９２】
本実施形態において、作業者は、カバーユニット５００を取付板４２０から取り外し、その後、カバーユニット５００の向きを変更し、取付板４２０に再度装着する。代替的に、図１乃至図４に示される形状の突条が採用されるならば、作業者は、脚部を台座部から取り外し、カバーユニット及び支持筒の向きを変更してもよい。
【００９３】
上述の様々な実施形態に関連して説明された設計原理は、様々な加熱工具セットに適用可能である。上述の様々な実施形態のうち１つに関連して説明された様々な特徴のうち一部が、他のもう１つの実施形態に関連して説明された加熱工具セットに適用されてもよい。
【産業上の利用可能性】
【００９４】
上述の実施形態の原理は、加熱工具を利用する様々な技術分野に好適に利用される。
【符号の説明】
【００９５】
１００，１００Ｅ，１００Ｆ・・・・・・・・・・・・・・・支持台
２１０，２１０Ａ，２１０Ｂ，２１０Ｃ，２１０Ｄ・・・・・支持筒
２１１，２１１Ｄ・・・・・・・・・・・・・・・・・・・・内面
２１２，２１２Ｄ・・・・・・・・・・・・・・・・・・・・突条
２１２Ａ・・・・・・・・・・・・・・・・・・・・・・・・突出柱
２１２Ｂ・・・・・・・・・・・・・・・・・・・・・・・・突出瘤
２１３・・・・・・・・・・・・・・・・・・・・・・・・・第１内面
２１４・・・・・・・・・・・・・・・・・・・・・・・・・第２内面
２１５・・・・・・・・・・・・・・・・・・・・・・・・・段差面
２２０・・・・・・・・・・・・・・・・・・・・・・・・・挿入スロット
２２１，２２１Ｄ・・・・・・・・・・・・・・・・・・・・第１縁
２２２，２２２Ｄ・・・・・・・・・・・・・・・・・・・・第２縁
３００，３００Ｆ・・・・・・・・・・・・・・・・・・・・台座部
３１０・・・・・・・・・・・・・・・・・・・・・・・・・スロープ面
３１２・・・・・・・・・・・・・・・・・・・・・・・・・スロット
４００，４００Ｅ・・・・・・・・・・・・・・・・・・・・脚部
５１１，５１２・・・・・・・・・・・・・・・・・・・・・支持ロッド
５２０・・・・・・・・・・・・・・・・・・・・・・・・・カバー片
６００・・・・・・・・・・・・・・・・・・・・・・・・・ホットエア吹出器
６１０・・・・・・・・・・・・・・・・・・・・・・・・・握持部
６１５・・・・・・・・・・・・・・・・・・・・・・・・・溝部
６１６・・・・・・・・・・・・・・・・・・・・・・・・・接続端面
６２０・・・・・・・・・・・・・・・・・・・・・・・・・吹出筒
６２１・・・・・・・・・・・・・・・・・・・・・・・・・基端部
６２２・・・・・・・・・・・・・・・・・・・・・・・・・先端部
６２３・・・・・・・・・・・・・・・・・・・・・・・・・吹出口
ＣＥＳ・・・・・・・・・・・・・・・・・・・・・・・・・接続端面
ＨＤＬ・・・・・・・・・・・・・・・・・・・・・・・・・握持部
ＨＲＤ・・・・・・・・・・・・・・・・・・・・・・・・・加熱棒
ＨＴＬ・・・・・・・・・・・・・・・・・・・・・・・・・加熱工具
ＴＰＳ・・・・・・・・・・・・・・・・・・・・・・・・・錘面
【図１】
0006279537.tif 000002
【図２】
0006279537.tif 000003
【図３】
0006279537.tif 000004
【図４】
0006279537.tif 000005
【図５】
0006279537.tif 000006
【図６】
0006279537.tif 000007
【図７】
0006279537.tif 000008
【図８】
0006279537.tif 000009
【図９】
0006279537.tif 000010
【図１０】
0006279537.tif 000011
【図１１】
0006279537.tif 000012